(57)【要約】【課題】  お手入れ機能を持たせ、衣類に付いたシワ、臭いを効果的に除去することができる浴室暖房乾燥機を提供すること。【解決手段】  暖房乾燥機本体２と、ミストを噴出するミスト発生器５４とを具備する浴室暖房乾燥機。暖房乾燥機本体２は、空気を加熱するための熱交換器８と、空気を循環するための循環手段１０と、換気するための換気手段３２と、空気の吹出し方向を設定するためのルーバ手段２３とを備えている。衣類お手入れ運転モードを設定すると、衣類に水分を含ませるために浴室内を加湿する浴室加湿運転が行われ、その後、水分を含んだ衣類を乾燥するために浴室内を乾燥する浴室乾燥運転が行われ、浴室加湿運転においては、ミスト発生器５４が作動し、また暖房乾燥機本体２の循環手段１０が作動し、ルーバ手段２３が、暖房乾燥機本体２からの空気を衣類に当たらない領域に向けて偏向する角度位置に保持される。【選択図】  図１
2005245818.tif 000002
【特許請求の範囲】
【請求項１】
浴室内を暖房乾燥するための暖房乾燥機本体と、浴室内にミストを噴出するためのミスト発生器と、前記暖房乾燥機本体及び及び前記ミスト発生器を作動制御するための作動制御手段と、運転モードを設定するための運転モード設定手段と、を具備し、前記暖房乾燥機本体は、空気を加熱するための加熱手段と、浴室内の空気を循環するための循環手段と、浴室内の空気を換気するための換気手段と、前記暖房乾燥機本体からの空気の吹出し方向を設定するためのルーバ手段と、を備えた浴室暖房乾燥機であって、
前記運転モード設定手段により衣類お手入れ運転モードを設定すると、衣類に水分を含ませるために浴室内を加湿する浴室加湿運転が行われ、その後、水分を含んだ衣類を乾燥するために浴室内を乾燥する浴室乾燥運転が行われ、前記浴室加湿運転においては、前記ミスト発生器が作動して浴室内が加湿状態に保たれ、また前記暖房乾燥機本体の前記循環手段が作動するとともに、前記ルーバ手段が、前記暖房乾燥機本体からの空気を浴室内の第１の領域に向けて偏向する第１の角度位置に保持され、また前記浴室乾燥運転においては、前記暖房乾燥機本体の前記換気手段が作動して浴室内が換気状態に保たれることを特徴とする浴室暖房乾燥機。
【請求項２】
前記衣類お手入れ運転モードにおける前記浴室加湿運転においては、前記ミスト発生器が作動して浴室内が加湿状態に保たれ、また前記暖房乾燥機本体の前記加熱手段及び前記循環手段が作動して浴室内が暖房状態に保たれるとともに、前記ルーバ手段が、前記暖房乾燥機本体からの空気を浴室内の第１の領域に向けて偏向する第１の角度位置に保持されることを特徴とする請求項１に記載の浴室暖房乾燥機。
【請求項３】
前記衣類お手入れ運転モードにおける前記浴室乾燥運転においては、前記浴室暖房乾燥機本体の前記換気手段が作動して浴室内が換気状態に保たれ、また前記暖房乾燥機本体の前記加熱手段及び前記循環手段が作動して浴室内が暖房状態に保たれるとともに、前記ルーバ手段が、前記暖房乾燥機本体からの空気を浴室内の第２の領域に向けて偏向する第２の角度位置に保持されることを特徴とする請求項１又は２に記載の浴室暖房乾燥機。
【請求項４】
前記お手入れ運転モードにおいては、前記浴室乾燥運転の後に、衣類の周囲の空気の滞留を防止するために空気を対流させる浴室空気対流運転が行われ、前記浴室空気対流運転においては、前記暖房乾燥機本体の前記換気手段が作動状態に保たれ、また前記暖房乾燥機本体の前記循環手段が作動して浴室内が涼風状態に保たれるとともに、前記ルーバ手段が前記第１の角度位置と前記第２の角度位置との間をスイングされることを特徴とする請求項１〜３のいずれかに記載の浴室暖房乾燥機。
【請求項５】
前記運転モード設定手段は、前記衣類お手入れ運転モードとして、衣類を標準的にお手入れする標準衣類お手入れ運転モードと、衣類を念入りにお手入れする念入り衣類お手入れ運転モードとに設定可能であり、前記標準衣類お手入れ運転モードにおける浴室加湿運転においては、前記ミスト発生器が作動して浴室内が加湿状態に保たれ、また前記暖房乾燥機本体の前記加熱手段及び前記循環手段が作動して浴室内が暖房状態に保たれるとともに、前記ルーバ手段が、前記暖房乾燥機本体からの空気を浴室内の第１の領域に向けて偏向する第１の角度位置に保持され、また前記念入り衣類お手入れ運転モードにおける浴室加湿運転においては、前記ミスト発生器が作動して浴室内が加湿状態に保たれ、また前記暖房乾燥機本体の前記加熱手段及び前記循環手段が作動して浴室内が暖房状態に保たれるとともに、前記ルーバ手段が、前記暖房乾燥機本体からの空気を浴室内の第１の領域に向けて偏向する第１の角度位置と前記暖房乾燥機本体からの空気を浴室内の第２の領域に向けて偏向する第２の角度位置に保持されることを特徴とする請求項２〜４のいずれかに記載の浴室暖房乾燥機。
【請求項６】
浴室内を暖房乾燥するための暖房乾燥機本体と、浴室内にミストを噴出するためのミスト発生器と、前記暖房乾燥機本体及び及び前記ミスト発生器を作動制御するための作動制御手段と、運転モードを設定するための運転モード設定手段と、を具備し、前記暖房乾燥機本体は、空気を加熱するための加熱手段と、浴室内の空気を循環するための循環手段と、浴室内の空気を換気するための換気手段と、前記暖房乾燥機本体からの空気の吹出し方向を設定するためのルーバ手段と、を備えた浴室暖房乾燥機であって、
前記運転モード設定手段により衣類お手入れ運転モードを設定すると、衣類に水分を含ませるために浴室内を加湿する浴室加湿運転が行われ、その後、水分を含んだ衣類を乾燥するために浴室内を乾燥する浴室乾燥運転が行われ、前記浴室加湿運転においては、前記ミスト発生器が作動して浴室内が加湿状態に保たれ、また前記浴室乾燥運転においては、前記暖房乾燥機本体の前記換気手段が作動して浴室内が換気状態に保たれ、また前記暖房乾燥機本体の前記循環手段が作動して浴室内が涼風状態に保たれるとともに、前記ルーバ手段が、前記暖房乾燥機本体からの空気を浴室内の所定領域に向けて偏向する所定角度位置に保持されることを特徴とする浴室暖房乾燥機。
【発明の詳細な説明】
【技術分野】
【０００１】
本発明は、浴室内を暖房、換気などするために用いる浴室暖房乾燥機に関する。
【背景技術】
【０００２】
近年、冬場の入浴時、暖房された居室と冷えた浴室との温度差によるヒートショックを防止するために、浴室を暖めるなどするための浴室暖房乾燥機が提案され広く普及している。この浴室暖房乾燥機は、浴室の天井などに取り付けられる暖房乾燥機本体を備え、暖房乾燥機本体は、空気を加熱するための加熱手段と、浴室内の空気を循環するための循環手段と、浴室内の空気を換気するための換気手段とを有し、これら加熱手段、循環手段及び換気手段を作動制御することによって、種々の機能を備えた浴室暖房乾燥機として四季を通じて広く使用されている。例えば、浴室内を暖房する（暖房機能）ときには、加熱手段及び循環手段が作動して浴室内の空気が暖められ、浴室内を換気する（換気機能）ときには、換気手段が作動して浴室内の空気が外部に排出され、また浴室内を乾燥する又は浴室内に干した衣類を乾燥する（乾燥機能）ときには、循環手段及び換気手段が作動して浴室内の空気が循環されるとともに、その空気が外部に排出され、更にまた、浴室内をさわやかにする（涼風機能）ときには、循環手段が作動して浴室内の空気が循環して空気流によるさわやか感が得られる。
【０００３】
このような浴室暖房乾燥機に、更に、サウナ機能を持たせるために、ミスト発生器を搭載させたものも提案されている（例えば、特許文献１参照）。このような浴室暖房乾燥機においてサウナ機能を利用すると、ミスト発生器から温水が霧状に噴射され、噴射される霧によって温熱感と霧特有の潤い感を得ることができ、浴室内の人はサウナ効果を得ることができる。
【０００４】
【特許文献１】特開２００３−３１０６９８号公報
【発明の開示】
【発明が解決しようとする課題】
【０００５】
ミスト発生器を備えた浴室暖房乾燥機では、サウナ機能を持たせることができるが、ミスト発生器を備えた浴室暖房乾燥機の更なる多機能化の要望、特に家庭でのお手入れが難しい衣類などのお手入れ機能、例えば、コート、スーツなどに付いたシワの除去機能、これらに付いた臭いの除去機能などの要望が強く、このような機能を備えた浴室暖房乾燥機の実現が望まれていた。
【０００６】
本発明の目的は、お手入れ機能を持たせ、衣類に付いたシワ、臭いを効果的に除去することができる浴室暖房乾燥機を提供することである。
【課題を解決するための手段】
【０００７】
本発明の請求項１に記載の浴室暖房乾燥機は、浴室内を暖房乾燥するための暖房乾燥機本体と、浴室内にミストを噴出するためのミスト発生器と、前記暖房乾燥機本体及び及び前記ミスト発生器を作動制御するための作動制御手段と、運転モードを設定するための運転モード設定手段と、を具備し、前記暖房乾燥機本体は、空気を加熱するための加熱手段と、浴室内の空気を循環するための循環手段と、浴室内の空気を換気するための換気手段と、前記暖房乾燥機本体からの空気の吹出し方向を設定するためのルーバ手段と、を備えた浴室暖房乾燥機であって、
前記運転モード設定手段により衣類お手入れ運転モードを設定すると、衣類に水分を含ませるために浴室内を加湿する浴室加湿運転が行われ、その後、水分を含んだ衣類を乾燥するために浴室内を乾燥する浴室乾燥運転が行われ、前記浴室加湿運転においては、前記ミスト発生器が作動して浴室内が加湿状態に保たれ、また前記暖房乾燥機本体の前記循環手段が作動するとともに、前記ルーバ手段が、前記暖房乾燥機本体からの空気を浴室内の第１の領域に向けて偏向する第１の角度位置に保持され、また前記浴室乾燥運転においては、前記暖房乾燥機本体の前記換気手段が作動して浴室内が換気状態に保たれることを特徴とする。
【０００８】
また、本発明の請求項２に記載の浴室暖房乾燥機では、請求項１に記載の構成に加えて、前記衣類お手入れ運転モードにおける前記浴室加湿運転においては、前記ミスト発生器が作動して浴室内が加湿状態に保たれ、また前記暖房乾燥機本体の前記加熱手段及び前記循環手段が作動して浴室内が暖房状態に保たれるとともに、前記ルーバ手段が、前記暖房乾燥機本体からの空気を浴室内の第１の領域に向けて偏向する第１の角度位置に保持されることを特徴とする。
【０００９】
また、本発明の請求項３に記載の浴室暖房乾燥機では、請求項１又は２に記載の構成に加えて、前記衣類お手入れ運転モードにおける前記浴室乾燥運転においては、前記浴室暖房乾燥機本体の前記換気手段が作動して浴室内が換気状態に保たれ、また前記暖房乾燥機本体の前記加熱手段及び前記循環手段が作動して浴室内が暖房状態に保たれるとともに、前記ルーバ手段が、前記暖房乾燥機本体からの空気を浴室内の第２の領域に向けて偏向する第２の角度位置に保持されることを特徴とする。
【００１０】
また、本発明の請求項４に記載の浴室暖房乾燥機では、請求項１〜３のいずれかに記載の構成に加えて、前記お手入れ運転モードにおいては、前記浴室乾燥運転の後に、衣類の周囲の空気の滞留を防止するために空気を対流させる浴室空気対流運転が行われ、前記浴室空気対流運転においては、前記暖房乾燥機本体の前記換気手段が作動状態に保たれ、また前記暖房乾燥機本体の前記循環手段が作動して浴室内が涼風状態に保たれるとともに、前記ルーバ手段が前記第１の角度位置と前記第２の角度位置との間をスイングされることを特徴とする。
【００１１】
また、本発明の請求項５に記載の浴室暖房乾燥機では、請求項２〜４のいずれかに記載の構成に加えて、前記運転モード設定手段は、前記衣類お手入れ運転モードとして、衣類を標準的にお手入れする標準衣類お手入れ運転モードと、衣類を念入りにお手入れする念入り衣類お手入れ運転モードとに設定可能であり、前記標準衣類お手入れ運転モードにおける浴室加湿運転においては、前記ミスト発生器が作動して浴室内が加湿状態に保たれ、また前記暖房乾燥機本体の前記加熱手段及び前記循環手段が作動して浴室内が暖房状態に保たれるとともに、前記ルーバ手段が、前記暖房乾燥機本体からの空気を浴室内の第１の領域に向けて偏向する第１の角度位置に保持され、また前記念入り衣類お手入れ運転モードにおける浴室加湿運転においては、前記ミスト発生器が作動して浴室内が加湿状態に保たれ、また前記暖房乾燥機本体の前記加熱手段及び前記循環手段が作動して浴室内が暖房状態に保たれるとともに、前記ルーバ手段が、前記暖房乾燥機本体からの空気を浴室内の第１の領域に向けて偏向する第１の角度位置と前記暖房乾燥機本体からの空気を浴室内の第２の領域に向けて偏向する第２の角度位置に保持されることを特徴とする。
【００１２】
また、本発明の請求項６に記載の浴室暖房乾燥機は、浴室内を暖房乾燥するための暖房乾燥機本体と、浴室内にミストを噴出するためのミスト発生器と、前記暖房乾燥機本体及び及び前記ミスト発生器を作動制御するための作動制御手段と、運転モードを設定するための運転モード設定手段と、を具備し、前記暖房乾燥機本体は、空気を加熱するための加熱手段と、浴室内の空気を循環するための循環手段と、浴室内の空気を換気するための換気手段と、前記暖房乾燥機本体からの空気の吹出し方向を設定するためのルーバ手段と、を備えた浴室暖房乾燥機であって、
前記運転モード設定手段により衣類お手入れ運転モードを設定すると、衣類に水分を含ませるために浴室内を加湿する浴室加湿運転が行われ、その後、水分を含んだ衣類を乾燥するために浴室内を乾燥する浴室乾燥運転が行われ、前記浴室加湿運転においては、前記ミスト発生器が作動して浴室内が加湿状態に保たれ、また前記浴室乾燥運転においては、前記暖房乾燥機本体の前記換気手段が作動して浴室内が換気状態に保たれ、また前記暖房乾燥機本体の前記循環手段が作動して浴室内が涼風状態に保たれるとともに、前記ルーバ手段が、前記暖房乾燥機本体からの空気を浴室内の所定領域に向けて偏向する所定角度位置に保持されることを特徴とする。
【発明の効果】
【００１３】
本発明の請求項１に記載の浴室暖房乾燥機によれば、運転モード設定手段により衣類お手入れ運転モードを設定すると、浴室加湿運転が行われ、その後、浴室乾燥運転が行われる。浴室加湿運転においては、ミスト発生器が作動してミストを噴出し、浴室内が加湿状態に保たれ、噴出したミストによって浴室内に吊り下げられた衣類などが水蒸気を含み、水蒸気を含んだ状態に保つことによってその自重を利用して衣類などに付いたシワを伸ばすことができる。このとき、ルーバ手段は第１の角度位置に保持され、浴室内の第１の領域に向けて空気を偏向する。この第１の角度位置とは、浴室暖房乾燥機本体が天井取付型のものである場合、浴室の壁側である例えば斜め下方向に空気を偏向する位置であり、浴室暖房乾燥機本体が壁取付型のものである場合、浴室の床側である例えば下方向に空気を偏向する位置であり、このような第１の角度位置に保持することによって、湿気を含んだ空気流が直接的に吊した衣類に当たるのを防止することができる。また、浴室乾燥運転においては、暖房乾燥機本体の換気手段が作動して浴室内が換気状態に保たれ、これによって、浴室内に吊り下げられた衣類などに含まれた水蒸気が蒸発して乾燥され、そして、この蒸発の際に衣類などに付いた臭い粒子も取り除かれ、衣類などに付いたシワ、臭いを取り除いて乾いた状態に仕上げ、衣類などを所要の通りにお手入れすることができる。
【００１４】
また、本発明の請求項２に記載の浴室暖房乾燥機によれば、浴室加湿運転においては、ミスト発生手段が作動して浴室内が加湿状態に保たれ、また暖房乾燥機本体の加熱手段及び循環手段が作動し、浴室内が暖められて暖房状態に保たれる。従って、衣類などの繊維は加温加湿の状態に保たれ、これによって衣類などは多くの水蒸気を含み、シワがより延び易くなり、シワ取り効果をより高めることができる。この暖房状態では、浴室が例えば４０〜５０℃程度に保たれる。
【００１５】
また、本発明の請求項３に記載の浴室暖房乾燥機によれば、浴室乾燥運転においては、暖房機乾燥機本体の換気手段が作動して浴室内が換気状態に保たれ、またその加熱手段及び循環手段が作動して浴室内が暖房状態に保たれる。浴室乾燥運転時に、即ち衣類を乾燥させるときに浴室内が急激に冷えると、浴室内の水蒸気が吊した衣類などに付着し、この水蒸気の付着によって、周囲に飛散した臭い粒子が衣類に再付着し、臭い除去効果が少なくなる。これに対して、浴室内を暖房状態に保ちながら換気すると、浴室内の水蒸気の衣類への再付着を抑えながら浴室内を乾燥することができ、これによって、飛散した臭い粒子の衣類などへの再付着を防止することができ、シワ取り機能及び臭い取り機能を高めることができ、更に衣類などの縮みを防止し、更にまた浴室壁面への結露の発生も防止できる。また、この浴室乾燥運転においては、ルーバ手段は第２の角度位置に保持され、浴室内の第２の領域に向けて空気を偏向する。この第２の角度位置とは、浴室暖房乾燥機本体が天井取付型のものである場合、浴室の床側である例えば下方向に空気を偏向する位置であり、浴室暖房乾燥機本体が壁取付型のものである場合、浴室の壁側である例えば斜め下方向に空気を偏向する位置であり、このような第２の角度位置に保持することによって、暖房乾燥機本体からの空気流が直接的に吊した衣類に当たり、衣類の乾燥を促進させて浴室乾燥運転時間の短縮を図ることができる。
【００１６】
また、本発明の請求項４に記載の浴室暖房乾燥機によれば、浴室乾燥運転の後に浴室空気対流運転が行われる。この浴室空気対流運転においては、暖房乾燥機本体の換気手段が作動して浴室内が換気状態に保たれるとともに、その循環手段が作動して浴室内が涼風状態に保たれ、このような状態に保つことによって、衣類などの乾燥後においても浴室内の空気の滞留が少なく、飛散した臭い粒子の衣類などへの再付着を効果的に防止することができる。このとき、ルーバ手段が第１の角度位置と第２の角度位置との間をスイングされるので、浴室内の空気の滞留をより少なくし、臭い粒子の再付着を一層効果的に防止することができる。
【００１７】
また、本発明の請求項５に記載の浴室暖房乾燥機によれば、標準衣類お手入れ運転モードと念入り衣類お手入れ運転モードとに設定可能に構成されている。標準衣類お手入れ運転モードにおける浴室加湿運転においては、ミスト発生器が作動して浴室内が加湿状態に保たれるとともに、暖房乾燥機本体の加熱手段及び循環手段が作動して浴室内が暖房状態に保たれるので、上述したようにして衣類などに付いたシワ、臭いを取り除くことができる。また、念入り衣類お手入れ運転モードにおける浴室加湿運転においては、ミスト発生器が作動して浴室内が加湿状態に保てれるとともに、暖房乾燥機本体の加熱手段及び循環手段が作動して浴室内が暖房状態に保たれ、加えてルーバ手段が第１の角度位置と第２の角度位置に保持される。従って、この第２の角度位置に保持される間、暖房乾燥機本体からの空気流（加温加湿の空気流）が浴室内に吊した衣類などの直接的に当たり、これによって、衣類に充分な水蒸気を含ませることができ、シワ、臭い取り効果を高めることができる。尚、この第２の角度位置への保持は、例えば２０〜３０分程度の浴室加湿運転中に０．５〜２分間程度を例えば２〜３回行うようにすることができる。
【００１８】
また、本発明の請求項６に記載の浴室暖房乾燥機によれば、衣類お手入れ運転モードを設定すると、浴室加湿運転が行われ、その後、浴室乾燥運転が行われる。浴室加湿運転においては、上述したように、ミスト発生器が作動してミストを噴出し、浴室内が加湿状態に保たれ、浴室内に吊り下げられた衣類などが水蒸気を含んだ状態に保つことによってその自重を利用して衣類などに付いたシワを伸ばすことができる。また、浴室乾燥運転においては、暖房乾燥機本体の換気手段が作動して浴室内が換気状態に保たれるとともに、その循環手段が作動して浴室内が涼風状態に保たれるので、上述したように、浴室内に吊り下げられた衣類などに含まれた水蒸気が蒸発して乾燥され、衣類などに付いたシワ、臭いを取り除いて乾いた状態に仕上げ、衣類などを所要の通りにお手入れすることができる。このとき、ルーバ手段は所定角度位置に保持され、浴室内の所定領域に向けて空気を偏向する。この所定角度位置とは、浴室暖房乾燥機本体が天井取付型のものである場合、浴室の床側である例えば下方向に空気を偏向する位置であり、浴室暖房乾燥機本体が壁取付型のものである場合、浴室の壁側である例えば斜め下方向に空気を偏向する位置であり、このような所定角度位置に保持することによって、湿気を含んだ空気流が直接的に吊した衣類に当たり、衣類などの乾燥を促進してその運転時間の短縮を図ることができる。
【発明を実施するための最良の形態】
【００１９】
以下、添付図面を参照して、本発明に従う浴室暖房乾燥機の実施形態について説明する。図１は、本発明に従う浴室暖房乾燥機の一実施形態を示す断面図であり、図２は、図１の浴室暖房乾燥機の制御系を示すブロック図であり、図３は、図１の浴室暖房乾燥機を操作するためのリモコンを示す正面図であり、図４は、図１の浴室暖房乾燥機を衣類お手入れ運転モードで運転したときの動作を示すフローチャートである。
【００２０】
図１において、図示の浴室暖房乾燥機は暖房乾燥機本体２を備え、この暖房乾燥機本体２は例えば浴室の天井に取り付けられる。この暖房乾燥機本体２内には、循環流路４及び換気流路６が設けられている。この実施形態では、循環流路４は、暖房乾燥機本体２内において図１の左部から中間部にわたって設けられ、この循環流路４に加熱手段の一部を構成する熱交換器８と、浴室内の空気を循環するための循環手段１０とが設けられている。熱交換器８は複数本の中空パイプ１２を有し、加熱媒体としての温水が後述する如くしてこれら中空パイプ１２を通して流れる。循環手段１０は、循環流路４に配設された循環ファン１４と、この循環ファン１４を回転駆動する循環モータ１６（図２参照）から構成され、循環モータ１６が作動すると、循環ファン１４は矢印１８で示す方向に回転駆動される。
【００２１】
暖房乾燥機本体２の下面には、浴室内の空気を吸入するための吸入口２０と、浴室内に空気を吹き出すための吹出し口２２が設けられ、循環流路４の上流端部は吸入口２０に連通し、その下流端部は吹出し口２２に連通している。循環ファン１４が矢印１８で示す方向に回動すると、浴室内の空気が吸入口２０を通して吸入され、循環流路４を実線矢印で示すように流れた後吹出し口２２から浴室内に吹き出し、このようにして浴室内の空気が循環流路４を通して循環される。例えば暖房運転モードなどで運転するときには、循環流路４を流れる空気は、後述する如く、熱交換器８にて中空パイプ１２内を流れる温水との間で熱交換されて加熱され、加熱された空気が吹出し口２２から吹き出し、また例えば涼風運転モードなどで運転するときには、循環流路４を流れる空気は熱交換器８にて加熱されることなく吹出し口２２から吹き出す。
【００２２】
この実施形態では、吹出し口２２には、吹き出す空気の風向きを変えるためのルーバ手段２３が配設されている。ルーバ手段２３は細長い中空筒状のルーバ部材２４を備え、このルーバ部材２４が旋回軸２６を中心として旋回自在に支持され、図１に一点鎖線で示す第１の角度位置と図１に実線で示す第２の角度位置との間を旋回自在に支持され、ルーバ用モータ２８（図２参照）によって旋回される。このような暖房乾燥機本体２は浴室の洗い場の天井に取り付けられ、洗濯した衣類などを浴室内に吊して乾燥するときには、洗い場に例えば物干し用の紐を張って暖房乾燥機本体２の下方に吊すようになる。第１の角度位置にあるときには、ルーバ２４の開口が斜め下方に向き、吹出し口２２からの空気は一点鎖線の矢印で示すように壁側に向けて斜め下方に吹き出し、吹出し口２２からの空気は浴室内に吊した衣類などに直接的に当たらないように流れる。また、上記第２の角度位置にあるときには、ルーバ２４の開口が浴室の床側に下（図１において下方）方向に向き、吹出し口２２からの空気は実線矢印で示すように下方に向けて吹き出し、吹出し口２２からの空気は浴室に吊した衣類などに直接的に当たるように流れる。
【００２３】
また、換気流路６は、暖房乾燥機本体２内において図１の中間部から右部にわたって設けられている。暖房乾燥機本体２の下面には換気口３０が設けられ、暖房乾燥機本体２において図１の右側の側面には排気口（図示せず）が設けられ、換気流路６の上流端部が換気口３０に連通し、その下流端部が排気口に連通している。この換気流路６には換気手段３２が配設されている。換気手段３２は、換気流路６に配設された換気ファン３４と、この換気ファン３４を回転駆動するための換気モータ３６（図２参照）から構成されている。換気モータ３６が作動すると、換気ファン３４が矢印３８で示す方向に回転駆動され、浴室内の空気は換気口３０を通して吸引され、換気流路６を破線矢印で示すように流れて排出口（図示せず）から屋外に排出される。
【００２４】
熱交換器８には、加熱媒体としての温水が熱源機４０（加熱手段の一部を構成する）から供給される。熱源機４０は例えばガス給湯器、電気給湯器などから構成され、その供給側接続部４４が供給ライン４６を介して熱交換器８の流入側に接続され、またその戻り側接続部４８が戻りライン５０を介して熱交換器８の流出側に接続され、供給ライン４６には、このライン４６を開閉するための熱動弁５２が配設されている。かく接続されているので、熱動弁５２が開状態になると、熱源機４２にて生成された温水、例えば８０℃程度の温水は、供給ライン４６を通して熱交換器８に供給され、その複数本の中空パイプ１２を通して流れた後に戻りライン５０を通して熱源機４２に戻り、熱交換器８にて中空パイプ１２内を流れる温水と循環流路４を流れる空気との間で熱交換が行われる。尚、加熱手段として、熱交換器８などに代えて、電気加熱ヒータなどを用いるようにしてもよい。
【００２５】
この浴室暖房乾燥機は、更に、ミスト（例えば、温水ミスト）を発生するミスト発生器５４を装備している。ミスト発生器５４は、暖房乾燥機本体２の右部下面に取り付けられ、その噴出ノズル５６は斜め下（図１において斜め右下）方向に向いている。熱源機４２には、更に、温水供給部５８及び水流入部６０が設けられ、水流入部６０が水供給ライン６２を介して水道管などの水供給源（図示せず）に接続され、温水供給部５８が温水送給ライン６４を介してミスト発生器５４に接続されている。このように構成されているので、ミスト発生器５４が作動すると、水供給源（図示せず）から水供給ライン６２を介して供給された水は熱源機４０にて加熱され、熱源機４０にて加熱された温水が温水送給ライン６４を介してミスト発生器５４に送給され、その噴出ノズル５６からミスト状（霧状）となって浴室内に噴出される。
【００２６】
この実施形態では、浴室暖房乾燥機は、図２に示すようなコントローラ６６によって作動制御される。図示のコントローラ６６は、例えばマイクロプロセッサから構成される作動制御手段６８、温度比較手段７０、湿度比較手段７２及びタイマ手段７４を備えている。作動制御手段６８は、衣類お手入れ運転モードなどによる運転の場合に、循環モータ１６、ルーバ用モータ２８、換気モータ３６、熱源機４０、熱動弁５２、ミスト発生器５４などを後述する如く作動制御する。また、温度比較手段７０は、衣類お手入れ運転モードのときに設定される浴室の設定温度（例えば、４５℃程度）と実際の浴室温度とを比較し、湿度比較手段７０は衣類お手入れ運転モードのときに設定される浴室の設定湿度（例えば、１００％）と実際の浴室湿度とを比較する。更に、タイマ手段７４は、予め設定された時間を計時し、この実施形態では、衣類お手入れモード運転モードにおける浴室加湿運転開始からの所定時間（例えば、３０分程度に設定される）を計時する。
【００２７】
コントローラ６６は、更に、第１メモリ７６、第２メモリ７８及び受信手段８０を含んでいる。第１メモリ７６には、衣類お手入れ運転モードにおける上記設定温度（４５℃）、上記設定湿度（１００％）及び上記設定時間（３０分）が記憶されている。また、受信手段８０は、次に説明するリモコン８２からの各種信号を受信する。
【００２８】
図２とともに図３を参照して、この浴室暖房乾燥機は図３に示すようなリモコン８２を含み、このようなリモコン８２を用いて操作運転され、各種運転モードの設定、運転の停止、暖房温度の設定、運転時間の設定、風向の選定などが行われる。
【００２９】
リモコン８２は、浴室暖房乾燥機の運転モードを設定するための運転モード設定手段を備え、この実施形態では、この運転モード設定手段は、暖房運転モード（暖房機能）を設定するための暖房スイッチ８４、乾燥運転モード（乾燥機能）を設定するための乾燥スイッチ８６、ミスト運転モード（ミスト機能）を設定するためのミスト運転スイッチ８８、衣類お手入れ運転モード（衣類お手入れ機能）を設定するための衣類お手入れスイッチ９０、換気運転モード（換気機能）を設定するための換気スイッチ９２及び涼風運転モード（涼風機能）を設定するための涼風スイッチ９４から構成されている。
【００３０】
リモコン８２は、更に、浴室暖房乾燥機の運転を停止させるための停止スイッチ９６、ルーバ部材２４の角度位置を設定する、即ちルーバ部材２４により偏向されて吹き出す空気流の風向を設定するための風向スイッチ９８、運転時間を設定するための時間設定スイッチ１００及び浴室温度を設定するための温度設定スイッチ１０２を備えている。時間設定スイッチ１００は、設定時間を所定時間（例えば、１分）ずつアップさせるためのアップスイッチ１０４と、設定時間を所定時間（例えば、１分）ずつダウンさせるためのダウンスイッチ１０６とから構成され、また温度設定スイッチ１０２は、浴室の設定温度を所定温度（例えば、１℃）ずつアップさせるためのアップスイッチ１０８と、浴室の設定温度を所定温度（例えば、１℃）ずつダウンさせるためのダウンスイッチ１１０とから構成されている。
【００３１】
リモコン８２は、更に、表示手段１１２及び送信手段１１４（図２参照）を含んでいる。表示手段１１２は液晶表示装置などから構成され、運転モード設定手段により設定された運転モード、時間設定スイッチ１００により設定された設定時間、温度設定スイッチ１０２により設定された設定温度などを表示し、また、送信手段１１４は運転モード設定手段により設定された運転信号、時間設定スイッチ１００により設定された時間設定信号、温度設定スイッチ１０２により設定された温度設定信号、風向スイッチ９８により設定された風向設定信号、停止スイッチ９６により設定された停止信号などをコントローラ６６に送信する。
【００３２】
この浴室暖房乾燥機は、更に、暖房乾燥機本体２の吸入口２０の内側に配設された温度検知センサ１１６及び湿度検知センサ１１８を備えている。温度検知センサ１１６は浴室内の温度を検知し、湿度検知センサ１１８は浴室内の湿度を検知し、温度検知センサ１１６及び湿度検知センサ１２０からの検知信号はコントローラ６６に送給される。
【００３３】
次に、主として図１、図２及び図４を参照して、上述した浴室暖房乾燥機における衣類お手入れ運転モードによる運転について説明する。この浴室暖房乾燥機において衣類お手入れ運転モードを設定する場合、浴室内、例えば暖房乾燥機本体２の下方に物干し用紐などを張ってお手入れすべき衣類など（コート、スーツなど）を吊るし、このような状態においてリモコン８２の衣類お手入れスイッチ９０を押圧操作してこの運転モードを設定すればよい。かくすると、衣類お手入れ運転信号がリモコン８２からコントローラ６６に送信され、この衣類お手入れ運転信号に基づいて浴室暖房乾燥機が次の通りの衣類お手入れ運転される。
【００３４】
この衣類お手入れ運転においては、まず、浴室暖房乾燥機の浴室加湿運転が行われ、暖房機乾燥機本体２が作動して暖房運転が行われる（ステップＳ１）。即ち、熱源機４０及び熱動弁５２が作動され、熱源機４０からの温水が供給ライン４６、熱交換器８及び戻りライン５０を介して循環されるとともに、循環手段１０（循環モータ１６）が作動され、浴室内の空気が循環流路４を通して循環され、熱交換器８にて熱交換により温められた空気が吹出し口２２から吹き出し、このようにして浴室内が暖房状態になる。この暖房状態においては、第１メモリ７６から設定温度が読み出され、温度検知センサ１１６が浴室内の温度を検知し、温度比較手段７０は設定温度とこの検知温度とを比較し、この検知温度が設定温度となるように、換言すると、浴室内の温度がこの設定温度（例えば、４５℃）に維持されるように暖房される。
【００３５】
この暖房運転が開始されると、ルーバ部材２４はルーバ用モータ２８によって上記第１の角度位置に保持され（ステップＳ２）、暖房乾燥機本体２の吹出し口２２からの空気流（温風）は斜め下方に流れ、浴室内に吊り下げられた衣類などに直接的に当たることがなく、加温加湿された空気が直接当たることによる衣類の傷みを防止することができる。
【００３６】
この浴室加湿運転の開始時に、浴室内の湿度の検知が行われる（ステップＳ３）。この湿度検知は湿度検知センサ１１８により行われ、検知された湿度がコントローラ６６に送給され、衣類お手入れモード運転の開始時点の検知湿度として第２メモリ７８に記憶される。
【００３７】
そして、浴室内の湿度が１００％に維持されているかが判定される（ステップＳ４）。即ち、第１メモリ７６から設定湿度が読み出され、湿度比較手段７２は湿度検知センサ１１６の検知湿度と設定湿度（例えば、１００％）とを比較する。そして、この検知湿度が１００％に維持されていないと、ミスト発生器５４が作動し（ステップＳ５）、熱源機４０からの温水が温水送給ライン６４を通してミスト発生器５４に送給され、その噴出ノズル５６からミスト状となって浴室内に噴出され、浴室内が加湿される。一方、検知湿度が１００％であると、ミスト発生器５４の作動が一時的に停止し（ステップＳ６）、ミスト発生器５４が無駄に作動するのを防止する。尚、ミスト発生器５４を常時作動させて浴室内の湿度を１００％に維持するようにしてもよい。また、この実施形態では、浴室内を湿度１００％に維持しているが、必ずしも１００％に維持する必要はなく、高湿度状態に、例えば９０〜１００％の適宜の湿度状態に維持するようにしてもよい。
【００３８】
このようにして浴室内を暖房状態及び加湿状態に保つ、即ち加温加湿状態に保つと、浴室内に吊り下げたれた衣類は周囲の水蒸気を含み、暖房状態に保たれていることから水蒸気を充分に含んだ状態となり、吊り下げられた衣類の自重によりシワが伸び、このような状態を維持することによって衣類に付いたシワを取り除くことができる。
【００３９】
この加温加湿状態が開始すると、タイマ手段７４が作動し、暖房運転開始から所定時間（例えば、３０分）計時するまで上述した状態が維持される。そして、タイマ手段７４が所定時間を計時すると、ステップＳ７からステップＳ８に進み、ミスト発生器５４の作動が停止し、また暖房乾燥機本体２の暖房運転が終了し（熱源機４０、熱動弁５２及び循環手段１０の作動が停止する）（ステップＳ９）、浴室内の加温加湿状態の維持が終了し、浴室加湿運転が終了する。
【００４０】
浴室加湿運転が終了すると、次に、浴室暖房乾燥機は浴室乾燥運転される。この浴室乾燥運転においては、暖房乾燥機本体２の換気手段３２（換気モータ３６）が作動し（ステップＳ１０）、浴室内の湿気を含んだ空気が換気流路６を通して外部に排出され、浴室内が換気状態に保たれる。このように換気すると、浴室内の湿度が低下し、吊した衣類に含まれた水蒸気が蒸発し、衣類の乾燥が行われる。そして、この衣類の乾燥の際に、衣類に付着した臭い分子も水蒸気とともに取り除かれ、衣類に付いた臭いも除去され、衣類に付いたシワ、臭いを取り除くことができる。
【００４１】
このように換気が行われて浴室内の湿度が元の湿度まで低下すると、ステップＳ１０からステップＳ１１に進み、暖房乾燥機本体２の換気手段３２の作動が停止し、浴室乾燥運転が終了する。この実施形態では、湿度比較手段７２は湿度検知センサ１１６の検知湿度と第２メモリ７８に記憶された検知湿度（衣類お手入れ運転モードによる暖房運転開始時の検知湿度）とを比較し、検知湿度が記憶検知湿度まで低下すると、吊した衣類の乾燥が充分に行われたとして暖房乾燥機本体２の換気手段３２の作動が停止し、衣類に対するお手入れが仕上がったとして衣類お手入れ運転モードの運転が終了する。
【００４２】
上述した実施形態では、ミスト発生器５４による加湿状態のときに暖房乾燥機本体２を暖房運転して浴室内を暖房状態に保っているが、この暖房状態のときに、換気手段３２を作動させて浴室内のを換気状態に保つようにしてもよい。或いは、暖房状態に保つことに代えて、ミスト発生器５４による加湿状態に保つとともに、暖房乾燥機本体２の循環手段１０を作動させて浴室内の空気を循環するようにしてもよく、このように構成した場合にも、ルーバ部材２４は第１の角度位置に保持され、浴室内を加湿状態に維持しながら、暖房乾燥機本体２の吹出し口２２からの空気流（湿気を多く含んだ空気流）が吊した衣類などに直接的に当たるのを防止することができる。
【００４３】
また、上述した実施形態では、浴室乾燥運転時に暖房乾燥機本体２の換気手段３２を作動させて換気状態に保っているが、この換気状態に加えて、熱源機４０及び浴室暖房乾燥機２の循環手段１０などを作動させて暖房状態に保つようにしてもよい。浴室乾燥運転時にも暖房乾燥機本体２を暖房運転することによって、吊した衣類が換気によって急激に冷却されることがなく、これによって、浴室内に蒸発した水蒸気の衣類への再付着を防止し、水蒸気付着による臭い粒子の再付着も防止することができる。このとき、ルーバ部材２４は上記第２の角度位置に保持するのが好ましく、このようにすることによって、暖房乾燥機本体２の吹出し口２２からの温風が吊した衣類などに直接的に当たり、衣類などの乾燥を促進して運転時間の短縮を図ることができる。
【００４４】
上述した浴室暖房乾燥機における衣類お手入れ運転モードの運転を図５に示すように行うようにしてもよく、このように運転することによって、衣類の縮みなどを効果的に防止するとともに、臭いの除去効果を一層高めることができる。この場合、第１メモリ７６に、浴室加湿運転における浴室の第１の設定温度（例えば４５℃）及び浴室乾燥運転における浴室の第２の設定温度（例えば、４０℃）及びルーバ部材２４の角度位置などの各種運転条件が登録される。
【００４５】
図１及び図２とともに図５を参照して、この場合においても、お手入れすべき衣類などを浴室内に吊るし、このような状態においてリモコン８２の衣類お手入れスイッチ９０を押圧操作してこの運転モードを設定すればよい。
【００４６】
この衣類お手入れ運転モードの運転においては、まず、浴室内を加湿状態に保つ浴室加湿運転が行われ、次いで浴室内を乾燥する浴室乾燥運転が行われ、その後、浴室内の空気の対流を行う浴室空気対流運転が行われる。この浴室加湿運転においては、暖房機乾燥機本体２の暖房運転が行われ（ステップＳ２１）、その吹出し口２２から温風が吹き出し浴室内が暖房される。この暖房運転の開始時、ルーバ部材２４が上記第２の角度位置に保持され（ステップＳ２２）、ルーバ部材２４の角度位置が初期状態に戻り、暖房乾燥機本体２の吹出し口２２からの空気が下方に吹出し、浴室内に吊した衣類などに当たり、この温風によって吊した衣類が温められる。この暖房状態においては、温度比較手段７０は第１の設定温度（例えば、４５℃）（第１メモリ７６に登録されている）と温度検知センサ１１６の検知温度とを比較し、この検知温度が上記第１の設定温度となるように暖房され、第１暖房状態に維持される（ステップＳ２３）。
【００４７】
このようにして浴室内の温度が第１の設定温度まで上昇すると、第１メモリ７６からルーバ部材２４の角度位置情報が読み出され、ルーバ手段２３のルーバ用モータ２８によって、ルーバ部材２４が第１の角度位置に保持され（ステップＳ２４）、暖房乾燥機本体２の吹出し口２２からの空気（温風）が吊した衣類などに当たらないように斜め下方に吹き出す。
【００４８】
このように浴室内が温められると、ミスト発生器５４による加湿が行われる。即ち、上述した実施形態と同様に、浴室内の湿度の検知が行われ（ステップＳ２５）、検知された湿度値が１００％に維持されているかが判定され（ステップＳ２６）、この検知湿度が１００％に維持されていないと、ミスト発生器５４が作動してその噴出ノズル５６から温水のミストが噴出し（ステップＳ２７）、また検知湿度が１００％であると、ミスト発生器５４の作動が一時的に停止し（ステップＳ２８）、このようにして浴室内が湿度１００％の加湿状態に保たれる。
【００４９】
このような加温加湿状態が開始されると、タイマ手段７４が作動し、例えば加温加湿状態の開始から所定時間（例えば、３０分）経過すると、ステップＳ２９からステップＳ３０に進み、このミスト発生器５４の作動が停止して浴室内の加湿状態が終了し、その後、この暖房多湿状態が所定時間（例えば、１０分）維持され、このように所定時間維持することによって、水蒸気を含んだ状態を充分な時間保つことができ、衣類のシワを充分に伸ばすことができる（このときも、暖房乾燥機本体２は暖房運転が継続され、浴室内は暖房状態に維持される）。
【００５０】
加湿状態終了後に所定時間経過すると、吊した衣類のシワが延びて取り除かれたとしてステップＳ３１からステップＳ３２に進み、浴室乾燥運転が行われる。この浴室乾燥運転では、換気手段３２が作動し、浴室内が換気状態に保たれる（このときも、暖房乾燥機本体２は暖房運転が継続されている）。また、ルーバ用モータ２８によってルーバ部材２４が第２の角度位置に位置付けられる（ステップＳ３３）。従って、暖房乾燥機本体２の吹出し口２２からの温風が吊した衣類に直接的に当たるようになり、この温風によって衣類の乾燥が促進される。
【００５１】
このようにして浴室乾燥運転が行われると、湿度検知センサ１１８が浴室湿度を検知し（ステップＳ３４）、換気手段３２の換気により浴室内の湿度が例えば１５％以下まで低下すると、ステップＳ３５からステップＳ３６に進み、浴室内の設定温度が第２の設定温度（例えば、４０℃）に自動的に切り換わり、暖房乾燥機本体２は浴室温度が第２の設定温度に保たれるように暖房し、浴室内は第２暖房状態に保たれる。この第２の設定温度は第１の設定温度よりも低い温度に設定され、このように第１の設定温度より低い温度に設定することによって、浴室内の湿度の低下とともに浴室温度も除々に低下するようになり、蒸発した水蒸気の衣類への再吸着を防止しながら（これによって、臭いの再吸着も防止される）浴室内の温度を下げることができ、このように浴室温度を少しずつ下げることによって、吊した衣類の縮みをも防止することができる。
【００５２】
そして、第２の設定温度（例えば、４０℃）の状態が所定時間、例えば１０分維持されると、ステップＳ３７からステップＳ３８に進み、衣類が乾燥したとして暖房乾燥機本体２の暖房運転が終了し（熱源機４０、熱動弁５２及び循環手段１０の作動が停止する）、浴室暖房乾燥機の浴室乾燥運転が終了する。
【００５３】
その後、浴室暖房乾燥機の浴室空気対流運転が行われる。即ち、暖房乾燥機本体２が涼風運転され（ステップＳ３９）、換気手段３２は継続して作動状態に保たれ、浴室内は換気状態に保たれ、また暖房乾燥機本体２の循環手段１０が作動され、浴室内が涼風状態に保たれ、浴室内の空気を換気しながら、浴室内の空気が循環される。この浴室空気対流運転では、ルーバ用モータ２８が作動し、ルーバ部材２４は上記第１の角度位置（図１において二点鎖線で示す位置）と上記第２の角度位置（図１において実線で示す位置）との間を連続的にスイングする（ステップＳ４０）。このようにスイングするので、浴室内の空気を吊した衣類などにムラなく当てて完全に乾燥させることができるとともに、浴室内の空気の滞留を防止して臭いなどの衣類への再付着を防止することができる。
【００５４】
そして、衣類が完全に乾燥した時点でリモコン８２の停止スイッチ９６を押圧操作して浴室暖房乾燥機の運転を停止すればよい（ステップＳ３９）。停止スイッチ９６を押圧すると、暖房乾燥機本体２の涼風運転が終了し（循環手段１０が作動停止する）（ステップＳ４２）、ルーバ用モータ２８が作動停止てルーバ部材２４のスイングが停止し（ステップＳ４３）、また換気手段３２が作動停止し（ステップＳ４４）、このようにして衣類お手入れ運転モードの運転が終了し、上述した実施形態同様に、衣類をきれいにお手入れした状態に保つことができ、浴室内に吊るし、衣類お手入れ運転モードの運転を行うという簡単な操作でもって衣類をきれいな状態にすることができ、アイロン掛けなどが難しいスーツ、コートなどでも簡単にお手入れすることができる。
【００５５】
この第２の実施形態では、リモコン８２の停止スイッチ９６を押圧して浴室暖房乾燥機の衣類お手入れ運転モードの運転を停止しているが、浴室空気対流運転の開始（ステップＳ３９）から所定時間、例えば１０〜３０分程度経過後に浴室暖房乾燥機の運転を停止するようにしてもよい。
【００５６】
また、例えば、第２の実施形態においては、浴室乾燥運転の後に浴室空気対流運転を行っているが、例えば、夏場などのように周囲温度が比較的高いときにおいては、このように浴室空気対流運転を行うが、例えば、冬場などのように周囲温度が比較的低いときにおいては、この浴室空気対流運転を行うことなく、浴室乾燥運転の終了（ステップＳ３８）によって浴室暖房乾燥機の運転を終了するようにしてもよい。
【００５７】
上述した実施形態では、衣類お手入れ運転モードとして一つのモードしか設定することができないが、例えば、図６に示すように構成して衣類お手入れモードとして二つのモード（標準衣類お手入れ運転モード及び念入り衣類お手入れ運転モード）を設定可能にするようにしてもよい。
【００５８】
図１及び図２とともに図６を参照して、この第３の実施形態では、リモコン８２の衣類お手入れスイッチ９０を例えば一度押圧すると標準衣類お手入れ運転モードが設定され、例えば二度押圧すると念入りお手入れ運転モードが設定されるように構成される。衣類お手入れスイッチ９０を一度（又は二度）操作して標準衣類お手入れ運転モード（又は念入り衣類お手入れ運転モード）を設定すると、暖房乾燥機本体２が暖房運転され（ステップＳ５１）、ルーバ部材２４が第２の角度位置に保持され（ステップＳ５２）、浴室内の温度が第１の設定温度（例えば、４５℃）に維持され（ステップＳ５３）、これらステップＳ５１からステップＳ５３までの内容は、図５のフローチャートにおけるステップＳ２１からステップＳ２３まで実質上同一である。
【００５９】
そして、ステップＳ５４において、標準お手入れ運転モードか否かが判断され、またステップＳ５５において、念入りお手入れ運転モードかが判断される。標準衣類お手入れ運転モードを設定すると、ステップＳ５４からステップＳ５６に進み、ステップＳ５６からステップＳ６１までが遂行され、ステップＳ５６からステップＳ６１までの内容は、図５のフローチャートにおけるステップＳ２５からステップＳ２９までと実質上同一であり、上述したと同様にして浴室暖房乾燥機の浴室加湿運転が行われる。
【００６０】
また、念入り衣類お手入れ運転モードを設定すると、ステップＳ５４からステップＳ５５を経てステップＳ６２に移り、ルーバ手段２３の切換期間か否かが判断され、切換期間でないときには、ステップＳ６２からステップＳ６３に進み、ルーバ部材２４が第１の角度位置に保持され、暖房乾燥機本体２の吹出し口２２からの空気（温風）は、浴室内に吊り下げられた衣類などに直接的に当たらないように流れる。これに対して、切換期間であるときには、ステップＳ６２からステップＳ６４に進み、ルーバ部材２４が第２の角度位置に保持され、暖房乾燥機本体２の吹出し口２２からの空気（温風）は、浴室内の衣類に直接的に当たるように流れ、浴室内の水分が吊した衣類に一層充分に含まれるようになる。この切換期間は、例えば３０分程度の浴室加湿運転中に１分程度の切換期間が例えば３回程度設定され、この設定された期間の間、ルーバ部材２４が上記第２の角度位置に保持されるようになり、この切換期間が長くなるに伴い、衣類に含まれる水分量も多くなる。
【００６１】
ルーバ部材２４の角度位置保持の後ステップＳ６５に進むと、浴室内の湿度検知が行われ、このステップＳ６５からステップＳ６９までの内容は、ステップＳ５９からステップステップＳ６１までと実質上同一であり、浴室内の湿度が１００％でないと、ミスト発生器５４によるミストの噴出が行われ、浴室内が加温加湿状態に保たれ、その後、図５におけるステップＳ３０以降が遂行される。このように念入り衣類お手入れ運転モードを設定することによって、衣類に含ませる水分量を多く含ませることができ、これによって、しつこいシワ、臭いをも取り除くことができる。
【００６２】
以上、本発明に従う浴室暖房乾燥機の実施形態について説明したが、本発明はかかる実施形態に限定されるものではなく、本発明の範囲を逸脱することなく種々の変形乃至修正が可能である。
【００６３】
例えば、上述した実施形態では、浴室内を加湿状態に保つ際に湿度検知センサ１１８によって浴室湿度を検知しているが、このような構成に代えて、この加湿状態の際に衣類の湿度を直接的に検知するようにしてもよい。この場合、衣類の湿度を検知するために湿度検知センサを衣類に取り付け、衣類の湿度状態を所定湿度、例えば衣類お手入れ運転モードの運転開始時の湿度よりも例えば３０％上昇した湿度状態に所定時間、例えば１０〜１５分（例えば１０分）程度保つようにしてもよい。また、加湿状態に保つ時間については、上述したように予め設定するようにしてもよいが、手動で設定するようにしてもよい。
【００６４】
また、例えば、上述した実施形態では、暖房乾燥機本体２が浴室の天井に取り付けられる形態のものに適用して説明したが、浴室の壁に取り付けられる形態のものにも同様に適用することができる。このような形態のものでは、暖房乾燥機本体が浴槽側の壁に取り付けられ、お手入れすべき衣類は洗い場に張った物干し用紐に吊り下げられるので、ルーバ部材は第１の角度位置においては吹出し口からの空気を床面側に下方に向けて偏向し、吹出し口からの空気が衣類に直接的に当たることがなく、また第２の角度位置においては吹出し口からの空気を壁面側に斜め下方に向けて偏向し、吹出し口からの空気が衣類に直接的に当たるようになる。
【産業上の利用可能性】
【００６５】
本発明は、浴室を暖房などするための浴室暖房乾燥機にミスト発生器を搭載し、このミスト発生器から発生するミストを利用して衣類などに付いたシワを取り除いたり、衣類に付いた臭いを取り除いたりするできるようにするものである。浴室暖房乾燥機に衣類お手入れ運転モードを設け、衣類お手入れ運転モードを設定したとき、暖房乾燥機本体及びミスト発生器を所要の通りに作動させて浴室内の湿度をコントロールしながら衣類に付いたシワ、臭いを取り除くものであり、浴室内に衣類を吊して浴室暖房乾燥機を衣類お手入れ運転モードで運転するという簡単な操作でもって、シワ、臭いなどを取り除くお手入れを容易に行うことができ、家庭の主婦などにとって非常に実用性の高い浴室暖房乾燥機を提供することができる。
【図面の簡単な説明】
【００６６】
【図１】本発明に従う浴室暖房乾燥機の一実施形態を示す断面図である。
【図２】図１の浴室暖房乾燥機の制御系を示すブロック図である。
【図３】図１の浴室暖房乾燥機を操作するためのリモコンを示す正面図である。
【図４】図１の浴室暖房乾燥機を衣類お手入れ運転モードで運転したときの動作を示すフローチャートである。
【図５】衣類お手入れ運転モードで運転したときの他の動作を示すフローチャートである。
【図６】標準衣類お手入れ運転モード及び念入り衣類お手入れ運転モードで運転したときの動作の一部を示すフローチャートである。
【符号の説明】
【００６７】
２  暖房乾燥機本体
４  循環流路
６  換気流路
８  熱交換器
１０  循環手段
２３  ルーバ手段
３２  換気手段
４０  熱源機
６６  コントローラ
６８  作動制御手段
７２  湿度比較手段
８２  リモコン
９０  衣類お手入れスイッチ
１１６  温度検知センサ
１１８  湿度検知センサ
【図１】
2005245818.tif 000003
【図２】
2005245818.tif 000004
【図３】
2005245818.tif 000005
【図４】
2005245818.tif 000006
【図５】
2005245818.tif 000007
【図６】
2005245818.tif 000008